(57)【要約】【課題】封印ビスを緩めることが困難な封印機構を備える遊技機の基板ケースを提供する。【解決手段】ベース部材２とカバー部材３の間に遊技機の制御基板１４を収納し、ベース部材２とカバー部材３を封印ビス５によって取外し不能に封印する複数回数分の封印機構４ａを備え、封印機構４ａの切除により前記封印を解除する遊技機の基板ケース１であって、封印ビス５は、カバー部材３に形成されたカバー台座部３ｃ側からベース部材２に形成されたベース台座部２ｃに螺合される雄ねじ部５ａと、雄ねじ部５ａの上部に設けられる鍔部５ｂと、鍔部５ｂから上方に突出し外周面に雄ねじを備えるボルト部５ｃを有している。そしてボルト部５ｃに螺合されるワンウェイナット６を有し、ワンウェイナット６は、工具先端が挿入され工具先端の締付け方向回動時に該工具先端と係合しかつ弛め方向回動時に工具先端と係合せずに外れるワンウェイ溝６ｂを有している。【選択図】図３
2008142121.tif 000002
【特許請求の範囲】
【請求項１】
ベース部材とカバー部材の間に遊技機の制御基板を収納し、前記ベース部材と前記カバー部材を封印ビスによって取外し不能に封印する複数回数分の封印機構を備え、前記封印機構の切除により前記封印を解除する遊技機の基板ケースであって、
前記封印ビスは、前記カバー部材に形成されたカバー台座部側から前記ベース部材に形成されたベース台座部に螺合される雄ねじ部と、その雄ねじ部の上部に設けられる鍔部と、その鍔部から上方に突出し外周面に雄ねじを備えるボルト部を有し、
そのボルト部に螺合されるワンウェイナットを有し、そのワンウェイナットは、工具先端が挿入され工具先端の締付け方向回動時に前記工具先端と係合しかつ弛め方向回動時に前記工具先端と係合せずに外れるワンウェイ溝を有していることを特徴とする遊技機の基板ケース。
【請求項２】
請求項１に記載の遊技機の基板ケースであって、
封印ビスは、カバー部材のカバー台座部に形成された貫通孔の孔壁面を雄ねじ部によってねじ切りして前記カバー台座部に仮止めされることを特徴とする遊技機の基板ケース。
【請求項３】
請求項１または２に記載の遊技機の基板ケースであって、
カバー部材をベース部材にスライドさせることで前記カバー部材を前記ベース部材に連結する連結機構を有し、前記連結機構は、少なくとも前記カバー部材を前記ベース部材の底面と略平行に横スライドさせ、続いて前記カバー部材を前記ベース部材の底面側に向けて縦スライドさせ、さらに前記カバー部材を前記ベース部材の底面と略平行に横スライドさせることで、前記カバー部材を前記ベース部材に連結させる構成になっていることを特徴とする遊技機の基板ケース。
【発明の詳細な説明】
【技術分野】
【０００１】
本発明は、パチンコ機やスロットマシンなどの遊技機を制御する制御基板を収容する基板ケースに関する。詳しくは、基板ケースの不正開放を防止する封印機構を有し、その封印機構によって制御基板の不正交換を防止する基板ケースに関する。
【背景技術】
【０００２】
従来、特許文献１に記載の遊技機の基板ケースが知られている。この基板ケースは、ベース部材とカバー部材の間に遊技機の制御基板を収納し、ベース部材とカバー部材を封印ビスによって取外し不能に封印する複数回数分の封印機構を有している。封印ビスは、ワンウェイ溝を有し、ワンウェイ溝は、工具先端が挿入され工具先端の締付け方向回動時に工具先端と係合し、弛め方向回動時に工具先端と係合せずに外れる形態になっている（特許文献１の図９参照）。
【０００３】
また従来、封印ビスとしてシャービスを利用した形態も知られている（特許文献１の図１５参照）。シャービスは、雄ねじ部と頭部と頭部の上部にくびれ部を経て設けられた係合部を有している。係合部は、工具先端が係合される溝を有し、工具から所定以上の締付けトルクを受けた際にくびれ部が剪断される構成になっている。したがって従来の封印ビスは、緩めることが困難な形態になっており、基板ケースの不正な開放を防止できる。しかし従来技術よりも、封印ビスを緩めることがさらに困難な封印機構が望まれている。
【特許文献１】特開２００６−２２３９０５号公報
【発明の開示】
【発明が解決しようとする課題】
【０００４】
そこで本発明は、封印ビスを緩めることが困難な封印機構を備える遊技機の基板ケースを提供することを課題とする。
【課題を解決するための手段】
【０００５】
前記課題を解決するために本発明は、各請求項に記載の通りの構成を備える遊技機の基板ケースであることを特徴とする。請求項１に記載の発明によると、封印ビスは、カバー部材に形成されたカバー台座部側からベース部材に形成されたベース台座部に螺合される雄ねじ部と、その雄ねじ部の上部に設けられる鍔部と、その鍔部から上方に突出し外周面に雄ねじを備えるボルト部を有している。そしてボルト部に螺合されるワンウェイナットを有し、そのワンウェイナットは、工具先端が挿入され工具先端の締付け方向回動時に該工具先端と係合しかつ弛め方向回動時に工具先端と係合せずに外れるワンウェイ溝を有している。
【０００６】
したがってワンウェイナットは、ワンウェイ溝を有しているために緩み方向にトルクを受けない。万が一、ワンウェイナットが不正に緩み方向のトルクを受けて回動された場合であっても、ワンウェイナットが封印ビスから外れるため、封印ビスが緩む方向にトルクを受けることが防止される。しかも封印ビスとワンウェイナットは、シャーボルトのようにせん断されて外れる形態ではないため、これらは外された後も再使用され得る。
【０００７】
請求項２に記載の発明によると、封印ビスは、カバー部材のカバー台座部に形成された貫通孔の孔壁面を雄ねじ部によってねじ切りしてカバー台座部に仮止めされる。したがって封印ビスをカバー台座部に仮止めするために従来必要であったテープ等が不要な構成になっている。従来、弾性的に封印ビスをカバー台座部に仮止めする構造も知られていたが（特許文献１参照）、その構造よりも本発明の方が製造容易な構造になっている。すなわち弾性変形させて保持する形態よりもねじ切りにて仮止めする形態の方が、設計許容幅が広く製造容易になっており、しかも封印ビスを容易に仮止めできる。
【０００８】
請求項３に記載の発明によると、カバー部材をベース部材にスライドさせることでカバー部材をベース部材に連結する連結機構を有している。そして連結機構は、少なくともカバー部材をベース部材の底面と略平行に横スライドさせ、続いてカバー部材をベース部材の底面側に向けて縦スライドさせ、さらにカバー部材をベース部材の底面と略平行に横スライドさせることで、カバー部材をベース部材に連結させる構成になっている。
【０００９】
したがってカバー部材をベース部材から外す場合は、少なくともカバー部材を横スライドさせ、その後、カバー部材をベース部材の底面から離間方向に移動させ、続いてカバー部材を横スライドさせる必要がある。そのためカバー部材は、ベース部材から外し難くなっている。そのため万が一、不正にカバー部材がベース部材から外される場合であってもカバー部材がベース部材から外され難い。
【発明を実施するための最良の形態】
【００１０】
本発明の実施の形態を図１〜７にしたがって説明する。本形態に係る遊技機１０は、パチンコ機であって、矩形枠状の外枠１１と、外枠１１に回動可能に取付けられる前枠１２を有している。前枠１２には、遊技盤１３や球タンクなどが取付けられており、遊技盤１３の背面には、図１に示すように基板（制御基板１４など）や電気配線などが取付けられている。
【００１１】
制御基板１４は、遊技機１０の制御を司る基板であって、透明な樹脂製の基板ケース１内に収納されている。基板ケース１は、図２，３に示すようにベース部材２とカバー部材３を有し、これらの間に制御基板１４を収納している。基板ケース１の一側部には、ベース部材２とカバー部材３を封印して基板ケース１の不正開放を防止する不正開放機構４が設けられている。
【００１２】
ベース部材２は、図３に示すように上側に開口部を有する箱型の本体部２ａを有し、本体部２ａには、縦リブ２ａ１と複数の横リブ２ａ２が設けられている。カバー部材３は、下側に開口部を有する箱型の本体部３ａを有し、本体部３ａに制御基板１４がビス等によって装着される。
【００１３】
カバー部材３とベース部材２の間には、図３に示すようにこれらを連結する連結機構７，８が設けられている。連結機構７は、カバー部材３に形成された爪７ｆと、ベース部材２に形成された複数の溝７ａ〜７ｅを有している。爪７ｆは、カバー部材３の一端寄りに一対形成されている。
【００１４】
複数の溝７ａ〜７ｅは、図３に示すようにベース部材２の側面と、その側面と反対側の面に形成されている。溝７ａ，７ｃ，７ｅは、横溝であって、ベース部材２の長手方向に延出し、図６に示すように溝７ａの一端から爪７ｆが挿入される。溝７ｂは、縦溝であって、横溝７ａの他端からベース部材２の底面に向けて延出して横溝７ｃに連通する。縦溝７ｄも縦溝であって、横溝７ｃの一端からベース部材２の底面に向けて延出して横溝７ｅに連通する。
【００１５】
したがってカバー部材３をベース部材２と連結させる場合は、図６に示すように爪７ｆを横溝７ａから挿入し、カバー部材３をベース部材２の底面と略平行に横スライドＸ１させる。続いてカバー部材３をベース部材２の底面に向けて略垂直に縦スライドＺ１させ、その後、横スライドＸ２、縦スライドＺ２、横スライドＸ３の順にカバー部材３をスライドさせる。
【００１６】
もう一つの連結機構８は、図３に示すようにベース部材２のスライド後端部に形成された横溝８ａと、カバー部材３のスライド後端部に形成された爪８ｂを有している。そして爪８ｂが横溝８ａに係合される。ベース部材２には、カバー部材３のスライドを規制する一対のストッパ３ｅが形成されており、ストッパ３ｅによってカバー部材３がベース部材２に対し位置決めされる。そしてベース部材２は、溝７ａ〜７ｅを有する側壁面によって強度が強くなっている。
【００１７】
不正開放機構４は、図２，７に示すように基板ケース１を不正に開放できなくするとともに、基板ケース１の不正開放における痕跡を残すために、複数（例えば四つ）の封印機構４ａを有している。封印機構４ａは、ベース台座部２ｃとカバー台座部３ｃと、これらを連結する封印ビス５とワンウェイナット６を有している。
【００１８】
ベース台座部２ｃは、図３に示すように接続部２ｂを介してベース部材２に複数（例えば四つ）設けられている。カバー台座部３ｃは、接続部３ｂを介してカバー部材３に複数設けられている。ベース台座部２ｃとカバー台座部３ｃは、カバー部材３をスライドさせて連結する際のベース部材２とカバー部材３のスライド先端面側に設けられている。
【００１９】
封印ビス５は、図４に示すように雄ねじ部５ａと、雄ねじ部５ａの上部に設けられる鍔部５ｂと、鍔部５ｂから上方に突出し外周面に雄ねじを備えるボルト部５ｃを一体に有している。鍔部５ｂは、雄ねじ部５ａよりも径が大きく、上部外周部に面取り部５ｂ１を有し、面取り部５ｂ１の先端にワンウェイナット６の径よりも小さい径を有する小径面５ｂ２を有している。ボルト部５ｃは、雄ねじ部５ａよりも長さが短く、軸方向にねじ山を３〜６有している。ボルト部５ｃの先端部は、円錐状に形成されており、把持され難い形態になっている。
【００２０】
ワンウェイナット６は、図４，５に示すように雌ねじ部６ａを下側部に有し、上側部にワンウェイ溝６ｂを有している。雌ねじ部６ａには、封印ビス５のボルト部５ｃが螺合される。ワンウェイ溝６ｂは、ドライバなどの工具先端が挿入され、工具先端が締付け方向回動時に工具先端と係合する立壁面６ｂ１と、弛め方向回動時に工具先端に係合せずに外れる逃げ面６ｂ２とを有している。
【００２１】
ワンウェイナット６は、図４，５に示すように封印ビス５のボルト部５ｃに螺合され、封印ビス５は、カバー台座部３ｃの貫通孔３ｄに挿入される。貫通孔３ｄは、大径部３ｄ１と小径部３ｄ２を有しており、大径部３ｄ１に封印ビス５の鍔部５ｂとワンウェイナット６が挿入される。小径部３ｄ２は、封印ビス５の雄ねじ部５ａよりも径が小さく、孔壁面が雄ねじ部５ａによってねじ切りされる。各封印ビス５が各カバー台座部３ｃの貫通孔３ｄに螺合され、カバー台座部３ｃに仮止めされる。
【００２２】
基板ケース１を封印する場合は、工具によってワンウェイナット６に締付けトルクを加える。これによりワンウェイナット６を介して封印ビス５に締付けトルクが加わり、雄ねじ部５ａが図５に示すようにベース台座部２ｃの孔２ｄの孔壁面をねじ切りつつベース台座部２ｃに螺合する。これにより封印ビス５によって基板ケース１が封印される。
【００２３】
ところで基板ケース１は、検査等のために１回または数回に渡って開放される。基板ケース１の開放方法は、図７に示すように接続部２ｂ，３ｂを切断して封印状態の封印機構４ａを基板ケース１から切除する。そしてカバー部材３をベース部材２に対して図６の矢印と反対方向にスライドさせ、カバー部材３をベース部材２から取外す。
【００２４】
検査等のために開放した後に再び、基板ケース１を閉じる場合は、図６に示すようにカバー部材３をベース部材２に対してスライドさせてこれらを連結する。そして図面手前から二つめのワンウェイナット６に締付けトルクを加え、封印ビス５によってベース台座部２ｃとカバー台座部３ｃを締結する（図７参照）。したがって基板ケース１は、複数回、例えば四回、封印され得る。
【００２５】
以上のようにして実施の形態が形成されている。すなわち封印ビス５は、図４，５に示すようにカバー部材３に形成されたカバー台座部３ｃ側からベース部材２に形成されたベース台座部２ｃに螺合される雄ねじ部５ａと、雄ねじ部５ａの上部に設けられる鍔部５ｂと、鍔部５ｂから上方に突出し外周面に雄ねじを備えるボルト部５ｃを有している。そしてボルト部５ｃに螺合されるワンウェイナット６を有し、ワンウェイナット６は、工具先端が挿入され工具先端の締付け方向回動時に該工具先端と係合しかつ弛め方向回動時に工具先端と係合せずに外れるワンウェイ溝６ｂを有している。
【００２６】
したがってワンウェイナット６は、ワンウェイ溝６ｂを有しているために緩み方向にトルクを受けない。万が一、ワンウェイナット６が不正に緩み方向のトルクを受けて回動された場合であっても、ワンウェイナット６が封印ビス５から外れるため、封印ビス５が緩む方向にトルクを受けることが防止される。しかも封印ビス５とワンウェイナット６は、シャーボルトのようにせん断されて外れる形態ではないため、これらは外された後も再使用され得る。
【００２７】
また封印ビス５は、図５に示すようにカバー部材３のカバー台座部３ｃに形成された貫通孔３ｄの孔壁面を雄ねじ部５ａによってねじ切りしてカバー台座部３ｃに仮止めされる。したがって封印ビス５をカバー台座部３ｃに仮止めするために従来必要であったテープ等が不要な構成になっている。従来、弾性的に封印ビスをカバー台座部に仮止めする構造も知られていたが（特許文献１参照）、その構造よりも本形態の方が製造容易な構造になっている。すなわち弾性変形させて保持する形態よりもねじ切りにて仮止めする形態の方が、設計許容幅が広く製造容易になっており、しかも封印ビスを容易に仮止めできる。
【００２８】
また基板ケース１は、図３，６に示すようにカバー部材３をベース部材２にスライドさせることでカバー部材３をベース部材２に連結する連結機構７を有している。そして連結機構７は、少なくともカバー部材３をベース部材２の底面と略平行に横スライドさせ、続いてカバー部材３をベース部材２の底面側に向けて縦スライドさせ、さらにカバー部材３をベース部材２の底面と略平行に横スライドさせることで、カバー部材３をベース部材２に連結させる構成になっている。
【００２９】
したがってカバー部材３をベース部材２から外す場合は、少なくともカバー部材３を横スライドさせ、その後、カバー部材３をベース部材２の底面から離間方向に移動させ、続いてカバー部材３を横スライドさせる必要がある。そのためカバー部材３は、ベース部材２から外し難くなっている。そのため万が一、不正にカバー部材３がベース部材２から外される場合であってもカバー部材３がベース部材２から外され難い。
【００３０】
また封印ビス５は、図４に示すように鍔部５ｂを有し、鍔部５ｂは、上部外周部に面取り部５ｂ１を有し、面取り部５ｂ１の先端にワンウェイナット６の径よりも小さい径を有する小径面５ｂ２を有している。したがって小径面５ｂ２によって封印ビス５とワンウェイナット６の締結トルクを封印ビス５のベース台座部２ｃの締付トルクよりも確実に小さくすることができる。そのためワンウェイナット６に緩み方向のトルクを加えると、封印ビス５がベース台座部２ｃから緩む前に、ワンウェイナット６が封印ビス５に対して確実に緩む。かくして封印ビス５のベース台座部２ｃからの緩みを確実に防止できる。
【００３１】
（他の実施の形態）
本発明は、上記実施の形態に限定されず、以下の形態であっても良い。
（１）上記実施の形態の封印ビス５は、ボルト部５ｃの先端部が円錐状になっていた。しかし先端部が半球面状、あるいは先細り状の他の形状を有している形態であっても良い。
（２）上記実施の形態の連結機構７は、カバー部材３に形成された爪７ｆと、ベース部材２に形成された複数の溝７ａ〜７ｅから構成されていた。しかし爪７ｆがベース部材２側に形成され、複数の溝７ａ〜７ｅがカバー部材３側に形成される形態であっても良い。
【図面の簡単な説明】
【００３２】
【図１】遊技機の背面図である。
【図２】基板ケースの斜視図である。
【図３】基板ケースの分解斜視図である。
【図４】封印ビスとワンウェイナットの組付け斜視図（Ａ）と、分解斜視図（Ｂ）である。
【図５】図２のV―V線断面矢視図である。
【図６】組付け時の基板ケースの斜視図である。
【図７】封印機構の一つを切除した状態の基板ケースの斜視図である。
【符号の説明】
【００３３】
１・・・基板ケース
２・・・ベース部材
２ｂ，３ｂ・・・接続部
２ｃ・・・ベース台座部
３・・・カバー部材
３ｃ・・・カバー台座部
４・・・不正開放機構
４ａ・・・封印機構
５・・・封印ビス
５ａ・・・雄ねじ部
５ｂ・・・鍔部
５ｃ・・・ボルト部
６・・・ワンウェイナット
６ａ・・・雌ねじ部
６ｂ・・・ワンウェイ溝
７，８・・・連結機構
７ａ，７ｃ，７ｅ，８ａ・・・横溝（溝）
７ｂ，７ｄ・・・縦溝（溝）
７ｆ，８ｂ・・・爪
１０・・・遊技機
１４・・・制御基板
【図１】
2008142121.tif 000003
【図２】
2008142121.tif 000004
【図３】
2008142121.tif 000005
【図４】
2008142121.tif 000006
【図５】
2008142121.tif 000007
【図６】
2008142121.tif 000008
【図７】
2008142121.tif 000009